(57)【要約】  【課題】左開きおよび右開きの一方から他方への変更が可能なヒンジ式の扉を備える冷蔵庫であって、当該変更の際に必要となる内部配線の変更作業を容易に行える冷蔵庫を提供すること。  【解決手段】左開きおよび右開きの一方から他方へ変更可能な第一扉１１とを備える冷蔵庫であって、第一扉１１の前面に取り付けられた表示装置１７と、断熱箱体７０に取り付けられた制御基板８０と、制御基板８０から断熱箱体の左上部に向けて延設された左側ハーネス６０ａと、制御基板８０から断熱箱体７０の右上部に向けて延設された右側ハーネス６０ｂと、一端が表示装置１７に接続され、他端が第一扉１１の上部から露出し、第一扉１１の上部から露出する部分を左方向および右方向のいずれにも曲げることが可能な扉側ハーネス１８と、左側ハーネス６０ａおよび右側ハーネス６０ｂのいずれにも接続可能な接続端子とを備える。【選択図】図４
2011231936.tif 000002
【特許請求の範囲】
【請求項１】
断熱箱体と、前記断熱箱体の内方に配置され前面に開口部を有する貯蔵室と、前記開口部を開閉可能に塞ぐヒンジ式の扉であって、ヒンジ部材の、前記断熱箱体の左上部および右上部の一方から他方への付け替えにより左開きおよび右開きの一方から他方へ変更可能な扉とを備える冷蔵庫であって、前記扉の前面に取り付けられ、情報の入力または出力を行う情報端末と、前記断熱箱体に取り付けられ、前記情報端末を制御する制御基板と、前記制御基板から前記断熱箱体の左上部に向けて延設された左側電線と、前記制御基板から前記断熱箱体の右上部に向けて延設された右側電線と、一端が前記情報端末に接続され、他端が前記扉の上部から露出し、前記扉の上部から露出する部分を左方向および右方向のいずれにも曲げることが可能な扉側電線と、前記扉側電線の前記他端に設けられ、前記左側電線および前記右側電線のいずれにも接続可能な接続端子とを備え、前記扉側電線の、前記扉の上部から露出する部分の長さは、前記露出する部分が前記左方向に曲げられた場合、前記接続端子と前記左側電線とが接続可能であり、かつ、前記露出する部分が前記右方向に曲げられた場合、前記接続端子と前記右側電線とが接続可能である長さである冷蔵庫。
【請求項２】
さらに、前記扉の上部に左右方向に延設され、前記扉側電線が埋設される配線溝と、前記溝の左右方向の中央部であって前記溝を形成する面に設けられ、前記扉側電線が貫通する配線開口部とを備える請求項１に記載の冷蔵庫。
【発明の詳細な説明】
【技術分野】
【０００１】
本発明は、冷蔵庫に関し、特に、ヒンジ部材の付け替えにより左開きおよび右開きの一方から他方への変更が可能な扉を備える冷蔵庫に関する。
【背景技術】
【０００２】
従来、冷蔵庫は、冷蔵室等の貯蔵室を備え、貯蔵室の開口部は断熱材を有する扉により開閉自在に閉塞されている。
【０００３】
また、扉の前面に情報端末が備えられている冷蔵庫も存在する。例えば、貯蔵室の設定温度等を表示する表示装置を情報端末として備える冷蔵庫が存在する。
【０００４】
このような情報端末を備える冷蔵庫において、情報端末を制御する制御基板は冷蔵庫本体を構成する断熱箱体に備えられている。
【０００５】
また、情報端末が配置された扉は、左端部または右端部に設けられたヒンジ部材により回動する。そのため、情報端末に接続された電線の束である扉側のハーネスは、ヒンジ部材が配置された部分を経由して、制御基板に繋がるハーネスと接続されることが一般的である。
【０００６】
図７は、従来の冷蔵庫２００における扉側のハーネスの配置態様を示す斜視図である。
【０００７】
図７に示す従来の冷蔵庫２００では、扉２１１の前面に情報端末の一種である表示部２５０が取り付けられている。また、断熱箱体２０１の右上部にヒンジ部材２６０が取り付けられており、扉２１１は右開きのヒンジ式の扉として冷蔵庫２００に備えられている。
【０００８】
また、表示部２５０に接続されたハーネス２７０は、扉２１１の断熱材の中を通り、例えばヒンジピン２６１の内部を通される。
【０００９】
ハーネス２７０の端部には接続端子２７０ａが設けられており、接続端子２７０ａは、ヒンジ部材２６０の近傍まで延設された制御基板側のハーネス（図示せず）と接続される。
【００１０】
このような、情報端末側のハーネスを断熱箱体側に到達させるための構造に関する技術も開示されている（例えば、特許文献１参照）。
【００１１】
図８は、従来のヒンジ部材の構造を示す分解斜視図である。
【００１２】
図８に示す従来のヒンジ部材１１０は、冷蔵庫の断熱箱体の天井部に固定するための固定部１１２と、固定部１１２より延設され、扉の取付けのための回転軸取付部１１４と、回転軸取付部１１４に設けられた貫通口１１６と、貫通口１１６に設けられた切欠部１１８と、貫通口１１６の縁部より下方に突出した円筒形の回転軸１２０と、回転軸１２０の周面に切欠部１１８と連続して軸方向に沿って切欠かれたコード挿入部１２２とを備える。
【００１３】
このような構造のヒンジ部材１１０の回転軸１２０には、回転軸１２０に被さるように円筒形のブッシュ１３８が取付けられる。
【００１４】
ブッシュ１３８の内部には、当該扉に設けられた操作スイッチに接続され、当該扉の内部の断熱材を通されたハーネス１４６が通される。
【００１５】
このハーネス１４６は、コード挿入部１２２および切欠部１１８から貫通口１１６内に挿入され回転軸１２０内部に取付けられる。その後、ハーネス１４６は、断熱箱体に配置された制御基板側のハーネスと接続される。また、ヒンジカバー１３４により覆われる。
【００１６】
このように、ヒンジ部材１１０がコード挿入部１２２および切欠部１１８を有することにより、ハーネス１４６のヒンジ部材１１０への取り付けが容易であるとともに、ハーネス１４６を傷つけることがない。
【特許文献１】特開平８−２９６９５２号公報
【発明の開示】
【発明が解決しようとする課題】
【００１７】
ここで、従来、冷蔵庫の使用者の意図に応じて、冷蔵庫の扉を左開きから右開きに、またはその反対に変更することが可能な冷蔵庫も存在する。このような冷蔵庫では、例えばヒンジ部材を付け替えることにより、扉の開き方向を変更することができる。
【００１８】
しかしながら、図７に示す従来の冷蔵庫２００では、仮に、ヒンジ部材２６０の断熱箱体２０１への取り付け位置を右上部から左上部へ変更可能であるとしても、ハーネス２７０が扉２１１から外部に露出する位置は右上部で固定である。
【００１９】
従って、接続端子２７０ａと制御基板側のハーネスとを接続することは実質的に不可能である。また、扉２１１の右上部から外部に露出した接続端子２７０ａが、扉２１１の開閉の邪魔となり、かつ、冷蔵庫２００の外観を損ねる要因ともなる。
【００２０】
また、図８に示す従来のヒンジ部材１１０は、ハーネス１４６をヒンジ部材１１０に貫通させる際の作業の容易化等を図られるものの、ハーネス１４６が、当該ヒンジ部材１１０の下方まで延設されていることが前提である。
【００２１】
そこで、例えば、ヒンジ部材１１０を付け替える際に、扉内部の断熱材に埋もれたハーネス１４６の延設方向を、付け替え後のヒンジ部材１１０の方向に変更することも考えられる。しかしこのような作業は実際には非常に困難であり、現実的ではない。
【００２２】
本発明は、上記従来の課題を考慮し、左開きおよび右開きの一方から他方への変更が可能なヒンジ式の扉を備える冷蔵庫であって、当該変更の際に必要となる内部配線の変更作業を容易に行うことができる冷蔵庫を提供することを目的とする。
【課題を解決するための手段】
【００２３】
上記従来の課題を解決するために、本発明の冷蔵庫は、断熱箱体と、前記断熱箱体の内方に配置され前面に開口部を有する貯蔵室と、前記開口部を開閉可能に塞ぐヒンジ式の扉であって、ヒンジ部材の、前記断熱箱体の左上部および右上部の一方から他方への付け替えにより左開きおよび右開きの一方から他方へ変更可能な扉とを備える冷蔵庫であって、前記扉の前面に取り付けられ、情報の入力または出力を行う情報端末と、前記断熱箱体に取り付けられ、前記情報端末を制御する制御基板と、前記制御基板から前記断熱箱体の左上部に向けて延設された左側電線と、前記制御基板から前記断熱箱体の右上部に向けて延設された右側電線と、一端が前記情報端末に接続され、他端が前記扉の上部から露出し、前記扉の上部から露出する部分を左方向および右方向のいずれにも曲げることが可能な扉側電線と、前記扉側電線の前記他端に設けられ、前記左側電線および前記右側電線のいずれにも接続可能な接続端子とを備え、前記扉側電線の、前記扉の上部から露出する部分の長さは、前記露出する部分が前記左方向に曲げられた場合、前記接続端子と前記左側電線とが接続可能であり、かつ、前記露出する部分が前記右方向に曲げられた場合、前記接続端子と前記右側電線とが接続可能である長さである。
【００２４】
この構成により、本発明の冷蔵庫では、開き方向の変更が可能な扉の上部から、扉側電線の接続端子を有する端部が引き出された状態となる。また、扉側電線は、扉の上部で左方向および右方向のいずれにも曲げることが可能であり、かつ、接続端子は、断熱箱体側の左側電線および右側電線のいずれにも接続可能である。
【００２５】
従って、例えば、冷蔵庫の使用者が、扉の開き方向を右から左またはその逆に変更する場合、使用者は、扉側電線の扉上部から露出する部分、つまり延設方向を自在に変更可能な自由端部分を、変更後のヒンジ部材の方向に曲げるだけで、扉側電線と制御基板側の電線との接続を可能とすることができる。
【００２６】
つまり、使用者は、扉側電線の扉内部の断熱材に埋もれた部分に関与することなく、扉側電線の延設方向を左から右および右から左に容易に変更可能である。
【００２７】
このように、本発明の冷蔵庫は、左開きおよび右開きの一方から他方への変更が可能なヒンジ式の扉を備える冷蔵庫であって、当該変更の際に必要となる内部配線の変更作業を容易に行うことができる冷蔵庫である。
【００２８】
また、本発明の冷蔵庫はさらに、前記扉の上部に左右方向に延設され、前記扉側電線が埋設される配線溝と、前記溝の左右方向の中央部であって前記溝を形成する面に設けられ、前記扉側電線が貫通する配線開口部とを備えるとしてもよい。
【００２９】
これにより、扉側電線は扉に埋め込まれるようにして配置される。従って、例えば、扉の高さを実質的に高くすることなく、扉側電線を扉に配置することができる。
【００３０】
また、溝の中央部から扉側電線が露出しているため、露出する部分の必要長さは、接続端子を左側電線に接続する場合と右側電線に接続する場合とでほぼ同一となる。従って、扉側電線に不要な長さを持たせる必要がない。
【発明の効果】
【００３１】
本発明は、左開きおよび右開きの一方から他方への変更が可能なヒンジ式の扉を備える冷蔵庫であって、当該変更の際に必要となる内部配線の変更作業を容易に行うことができる冷蔵庫を提供することができる。
【発明を実施するための最良の形態】
【００３２】
以下、本発明の冷蔵庫の実施の形態について、図面を参照しながら説明する。なお、この実施の形態によってこの発明が限定されるものではない。
【００３３】
（実施の形態１）
図１は、本発明の実施の形態１の冷蔵庫１００の正面図である。
【００３４】
図１に示すように冷蔵庫１００は、２つの扉を備える冷蔵庫であり、断熱箱体７０内に３つに区画された貯蔵室を備えている。
【００３５】
断熱箱体７０は、ＡＢＳなどの樹脂体を真空成型した内箱７１とプリコート鋼板などの金属材料を用いた外箱７２とで構成された空間に発泡断熱材７３が充填された断熱壁で構成されている。
【００３６】
断熱箱体７０内には、上述の３つの貯蔵室が備えられている。具体的には冷蔵庫１００は、冷蔵室１０、室内の温度が変更可能な変温室２０、および冷凍室３０を備えている。なお、図では矩形の点線がそれぞれの貯蔵室の開口部を表している。
【００３７】
各貯蔵室の開口部には、例えばウレタンのような発泡断熱材を発泡充填した断熱扉が設けられている。
【００３８】
具体的には、冷蔵室１０および変温室２０の開口部を開閉自在に閉塞するヒンジ式の第一扉１１が設けられている。
【００３９】
また、第一扉１１は、本発明の冷蔵庫における、ヒンジ式の扉の一例であり、ヒンジ部材の付け替えにより、左開きおよび右開きの一方から他方へ変更可能な扉である。
【００４０】
第一扉１１の前面には表示装置１７が備えられている。表示装置１７は、本発明の冷蔵庫における情報端末の一例である。
【００４１】
なお情報端末とは情報の入力または出力を行う装置である。このような情報端末としては、例えば、使用者に貯蔵室の設定温度等を知らせる表示装置、使用者が貯蔵室の温度帯を設定するためのスイッチボタンユニット、これら双方を有する入出力装置、温度等を検出するセンサ等が例示される。
【００４２】
本実施の形態における表示装置１７には、例えば、変温室２０に設定された温度帯を示す情報が表示される。
【００４３】
また、冷凍室３０には、引き出し式の第二扉３１が設けられている。
【００４４】
このような基本構成を有する本実施の形態の冷蔵庫１００では、冷蔵室１０は直接冷却方式により冷却され、変温室２０および冷凍室３０は間接冷却方式により冷却される。
【００４５】
図２は、本実施の形態の冷蔵庫１００の縦断面図である。
【００４６】
図２に示すように、断熱箱体７０内において、冷蔵室１０と変温室２０とは、上仕切体１５により仕切られている。また、変温室２０と冷凍室３０とは下仕切体２５により仕切られている。
【００４７】
また、冷蔵庫１００は、２つの冷却器を備えている。具体的には、冷蔵室１０の奥面１０ａの裏側に第一冷却器１２を備えている。冷蔵室１０の奥面１０ａは第一冷却器１２からの熱伝導によって冷却される。冷蔵室１０内の空気は、この冷却された奥面１０ａにより冷却される。
【００４８】
第一冷却器１２は、冷却パイプ１２ａと金属板１２ｂとを有する。冷蔵室１０の奥面１０ａは、奥面１０ａの裏側に接するように取り付けられた金属板１２ｂにより直接的に冷却される。
【００４９】
また、冷蔵庫１００は、冷凍室３０の奥面の裏側に第二冷却器３２を備える。冷凍室３０内は、第二冷却器３２から放出される冷気が循環することにより冷却される。
【００５０】
第二冷却器３２から放出される冷気は、変温室２０にも供給され、ダンパーの開閉制御により、例えば、冷蔵室１０の温度帯と冷凍室３０の温度帯との間の温度帯に維持される。
【００５１】
また、図２に示すように、表示装置１７には扉側ハーネス１８が接続されている。扉側ハーネス１８は、本発明の冷蔵庫における扉側電線の一例である。
【００５２】
第一扉１１の上部には、左右方向に延設され配線溝１９が存在する。配線溝１９には扉側ハーネス１８の第一扉１１の上部から露出する部分、つまり延設方向を自在に変更可能な自由端部分が埋設される。配線溝１９は、カバー部材１９ａによって覆われる。
【００５３】
また、断熱箱体７０の背面部には制御基板８０が備えられている。制御基板８０と表示装置１７とは電気的に接続され、制御基板８０により表示装置１７は制御される。
【００５４】
図３は、本実施の形態の冷蔵庫１００における扉側ハーネス１８の配置態様を示す斜視図である。
【００５５】
図３に示すように、扉側ハーネス１８は、第一扉１１の左右方向に延伸する配線溝１９の中央部（第一扉１１の左右方向の中央およびその近傍を含む部分）を貫通し、第一扉１１から露出する部分は配線溝１９に埋設される。
【００５６】
また、断熱箱体７０の左上部には左ヒンジ部５２が設けられ、右上部には右ヒンジ部５１が設けられている。
【００５７】
左ヒンジ部５２および右ヒンジ部５１は、ともにヒンジ部材の取り付けが可能な部分であり、図３は、右ヒンジ部５１に右開き用のヒンジ部材５３が取り付けられている状態を示している。
【００５８】
また、図３は、左ヒンジ部５２には左開き用のヒンジ部材（図示せず）は取り付けられておらず、ヒンジカバー５２ａが取り付けられている状態を示している。
【００５９】
つまり図３では、第一扉１１は、右端部を軸として回動する（左側が開く）扉であり、右開きの扉として冷蔵庫１００に備えられている。
【００６０】
なお、左開き用のヒンジ部材と、右開き用のヒンジ部材５３とは、別体である必要はなく、一つのヒンジ部材が右開き用と左開き用とを兼ねてもよい。
【００６１】
このように、右側にヒンジ部材５３が取り付けられている場合、扉側ハーネス１８の第一扉１１の上部から露出する部分は、ヒンジ部材５３が取り付けられた側、つまり右方向に曲げられ、接続端子１８ａと基板側のハーネスとが接続される。
【００６２】
また、扉側ハーネス１８の右方向に曲げられた部分は、配線溝１９に埋設され、カバー部材１９ａによって覆われる。
【００６３】
図４は、本実施の形態の冷蔵庫１００における扉側ハーネス１８および制御基板８０側のハーネスの配置態様を示す平面図である。
【００６４】
図４に示すように、断熱箱体７０には、制御基板８０に接続された左側ハーネス６０ａと、同じく制御基板８０に接続された右側ハーネス６０ｂとが配置されている。
【００６５】
左側ハーネス６０ａは、本発明の冷蔵庫における左側電線の一例であり、制御基板８０から断熱箱体７０の左上部に向けて延設されている。
【００６６】
右側ハーネス６０ｂは、本発明の冷蔵庫における右側電線の一例であり、制御基板８０から断熱箱体７０の右上部に向けて延設されている。
【００６７】
図４に示すように、扉側ハーネス１８は、配線溝１９の左右方向の中央部であって配線溝１９を形成する面に設けられた配線開口部１９ｂを貫通する。
【００６８】
このように配線開口部１９ｂを貫通している扉側ハーネス１８は、ヒンジピン５３ａの近傍を経由し、ヒンジ部材５３上を通った状態で、右側ハーネス６０ｂと接続される。
【００６９】
具体的には、右側ハーネス６０ｂの端部は、ヒンジ部材５３の近傍に配置されており、当該端部と、扉側ハーネス１８の接続端子１８ａとが接続される。
【００７０】
また、図４では、ヒンジ部材が取り付けられていない左ヒンジ部５２は、ヒンジカバー５２ａとヒンジピンカバー５２ｂとが取り付けられている。
【００７１】
なお、図３および図４では、右ヒンジ部５１の構造の説明のために図示されていないが、右ヒンジ部５１にもヒンジカバーとヒンジピンカバーとが取り付けられる。これらヒンジカバーとヒンジピンカバーとは別体であってもよく、一体であってもよい。
【００７２】
このように、扉側ハーネス１８は、ヒンジピン５３ａの近傍を経由して右側ハーネス６０ｂと接続される。そのため、第一扉１１の開閉時に扉側ハーネス１８にテンションが掛かることが防止される。また、第一扉１１の開閉時に扉側ハーネス１８が必要以上に緩むことが防止される。
【００７３】
また、配線開口部１９ｂが配線溝１９の左右方向の中央部に設けられている。これにより、扉側ハーネス１８の露出する部分の必要長さは、接続端子１８ａを、左側ハーネス６０ａに接続する場合と右側ハーネス６０ｂに接続する場合とでほぼ同一となる。従って、扉側ハーネス１８に不要な長さを持たせる必要がない。
【００７４】
なお、本実施の形態において、配線開口部１９ｂは配線溝１９を形成する面の一つである底面に設けられているが、側面に配線開口部１９ｂが設けられていてもよい。
【００７５】
図５は、本実施の形態の冷蔵庫１００における扉側ハーネス１８の配置態様を示す部分断面図である。具体的には、図３に示すＡ−Ａで切断した状態を示している。
【００７６】
図５に示すように、配線溝１９には、第一扉１１の扉側ハーネス１８の第一扉１１の上部から露出する部分が埋設されている。
【００７７】
つまり、扉側ハーネス１８の当該部分は、第一扉１１の断熱材７３ａに埋もれていない部分であり、延設方向は自在に変更できる。つまり、容易に配線溝１９に埋設することができる。
【００７８】
また、配線溝１９には、カバー部材１９ａが取り付けられており、カバー部材１９ａにより配線溝１９および扉側ハーネス１８は外部から覆い隠される。これにより、配線溝１９にごみ等が堆積することが防止され、外観的にも、第一扉１１の美観を損ねることがない。
【００７９】
以上、図３から図５を用いて、右ヒンジ部５１にヒンジ部材５３が取り付けられた場合、つまり、第一扉１１が右開きの扉として冷蔵庫１００に取り付けられた場合の、扉側ハーネス１８と右側ハーネス６０ｂとの接続の態様等について説明した。
【００８０】
しかし、左ヒンジ部５２にヒンジ部材が取り付けられ、第一扉１１が左開きの扉として冷蔵庫１００に取り付けられた場合も、容易に扉側ハーネス１８と左側ハーネス６０ａとを接続可能である。
【００８１】
具体的には、扉側ハーネス１８の第一扉１１の上部から露出する部分を、ヒンジ部材の取り付けられた側、つまり左方向に曲げ、配線溝１９に埋設する。さらに、扉側ハーネス１８を当該ヒンジ部材のヒンジピンの近傍を経由させ、接続端子１８ａと左側ハーネス６０ａとを接続する。
【００８２】
また、配線溝１９に扉側ハーネス１８を埋設した後に、カバー部材１９ａを取り付ける。これにより、扉側ハーネス１８の左方向に曲げられた部分はカバー部材１９ａに覆い隠される。
【００８３】
図６（Ａ）は、第一扉１１が右開きの扉として取り付けられた冷蔵庫１００を示す概要図であり、図６（Ｂ）は、第一扉１１が左開きの扉として取り付けられた冷蔵庫１００を示す概要図である。
【００８４】
なお、図の簡略化のため、冷蔵室１０内に配置された棚および第一扉１１の内面に配置された棚等の図示は省略している。
【００８５】
図６（Ａ）に示すように、例えば冷蔵庫１００の使用者が、第一扉１１を右開きの扉として冷蔵庫１００に取り付ける場合を想定する。
【００８６】
この場合、使用者は、扉側ハーネス１８の配線開口部１９ｂから露出する部分を、右ヒンジ部５１の方向に曲げて配線溝１９に埋設し、カバー部材１９ａを取り付ける。
【００８７】
また、接続端子１８ａを、ヒンジ部材５３の近傍に配置された、右側ハーネス６０ｂの端部と接続する。
【００８８】
このように、第一扉１１を右開きの扉として冷蔵庫１００に取り付ける場合であっても、簡単な作業で、扉側ハーネス１８と制御基板８０側のハーネスである右側ハーネス６０ｂとを接続することができる。
【００８９】
また、図６（Ｂ）に示すように、例えば冷蔵庫１００の使用者が、第一扉１１を左開きの扉として冷蔵庫１００に取り付ける場合を想定する。
【００９０】
この場合、使用者は、扉側ハーネス１８の配線開口部１９ｂから露出する部分を、左ヒンジ部５２の方向に曲げて配線溝１９に埋設し、カバー部材１９ａを取り付ける。
【００９１】
また、接続端子１８ａを、左ヒンジ部５２のヒンジ部材の近傍に配置された、左側ハーネス６０ａの端部と接続する。
【００９２】
このように、第一扉１１を左開きの扉として冷蔵庫１００に取り付ける場合であっても、簡単な作業で、扉側ハーネス１８と制御基板８０側のハーネスである左側ハーネス６０ａとを接続することができる。
【００９３】
以上説明したように、本実施の形態の冷蔵庫１００は、左開きおよび右開きの一方から他方へ変更可能な第一扉１１を備え、第一扉１１の前面には表示装置１７が備えられている。
【００９４】
表示装置１７に接続された扉側ハーネス１８は、接続端子１８ａを備える端部が、第一扉１１の上部から露出し、露出している部分は左方向および右方向のいずれにも曲げることができる。
【００９５】
また、第一扉１１の上部から露出する部分の長さは、当該露出する部分が左方向に曲げられた場合、接続端子１８ａと左側ハーネス６０ａとが接続可能であり、かつ、当該露出する部分が右方向に曲げられた場合、接続端子１８ａと右側ハーネス６０ｂとが接続可能である長さである。
【００９６】
これにより、第一扉１１を左開きとする場合、扉側ハーネス１８と左側ハーネス６０ａとを容易に接続できる。また、第一扉１１を右開きとする場合、扉側ハーネス１８と右側ハーネス６０ｂとを容易に接続できる。
【００９７】
つまり、冷蔵庫１００が出荷された後、例えば冷蔵庫１００が購入者宅に設置される際に、第一扉１１の開き方向を変更することができる。このとき、内部配線の変更作業が必要となる。
【００９８】
具体的には、表示装置１７と制御基板８０との電気的な接続を維持するために、扉側ハーネス１８の接続先を変更する必要がある。本実施の形態の冷蔵庫１００では上述のようにこの変更を容易に行うことができる。
【００９９】
なお、扉の開き方向の変更に対応するために、扉の製造時に扉の左方向および右方向の双方に延設された扉側ハーネスを内蔵させておくことも考えられる。しかし、このような構造の冷蔵庫と本実施の形態の冷蔵庫１００とを比べると、本実施の形態の冷蔵庫１００の方が、扉の製造に必要な作業量は少なく、また、扉側ハーネスの総延長も短いため、経済的に有利である。
【０１００】
このように、本実施の形態の冷蔵庫１００は、左開きおよび右開きの一方から他方への変更が可能なヒンジ式の第一扉１１を備える冷蔵庫１００であって、当該変更の際に必要となる内部配線の変更作業を容易に行うことのできる冷蔵庫１００である。
【０１０１】
なお、本実施の形態において、３つの貯蔵室の冷却方式として、直接冷却方式と間接冷却方式とが採用されているとした。しかし、本発明の実施に際し、各貯蔵室の冷却方式は特定なものに限定されない。
【０１０２】
例えば、本実施の形態の冷蔵庫１００において、冷蔵室１０、変温室２０および冷凍室３０の全てが間接冷却方式により冷却されてもよい。
【０１０３】
また、各貯蔵室の種類も実施の形態で説明した種類に限定されない。例えば、変温室２０が、野菜の貯蔵専用の野菜室と呼ばれる貯蔵室であってもよい。
【０１０４】
また、本実施の形態における第一扉１１は、冷蔵室１０および変温室２０の扉として冷蔵庫１００に備えられている。しかし、第一扉１１は、冷蔵室１０の開口部のみを開閉自在に閉塞する扉であってもよい。つまり、変温室２０には第一扉１１とは別体の扉が設けられてもよい。
【０１０５】
つまり、本発明の効果である、第一扉１１の開き方向の変更に伴う内部配線の変更作業の容易化という効果は、第一扉１１が開閉自在に閉塞する貯蔵室の開口部の数に依存することなく発揮される。
【産業上の利用可能性】
【０１０６】
本発明は、左開きおよび右開きの一方から他方への変更が可能なヒンジ式の扉を備える冷蔵庫であって、当該変更の際に必要となる内部配線の変更作業を容易に行うことができる冷蔵庫を提供することができる。従って、本発明は、家庭用および業務用など様々な種類および大きさの冷蔵庫等として有用である。
【図面の簡単な説明】
【０１０７】
【図１】本発明の実施の形態１の冷蔵庫の正面図
【図２】同実施の形態の冷蔵庫の縦断面図
【図３】同実施の形態の冷蔵庫における扉側ハーネスの配置態様を示す斜視図
【図４】同実施の形態の冷蔵庫における扉側ハーネスおよび制御基板側のハーネスの配置態様を示す平面図
【図５】同実施の形態の冷蔵庫における扉側ハーネスの配置態様を示す部分断面図
【図６】（Ａ）第一扉が右開きの扉として取り付けられた冷蔵庫を示す概要図（Ｂ）第一扉が左開きの扉として取り付けられた冷蔵庫を示す概要図
【図７】従来の冷蔵庫における扉側のハーネスの配置態様を示す斜視図
【図８】従来のヒンジ部材の構造を示す分解斜視図
【符号の説明】
【０１０８】
１０    冷蔵室
１０ａ  奥面
１１    第一扉
１２    第一冷却器
１２ａ  冷却パイプ
１２ｂ  金属板
１５    上仕切体
１７    表示装置
１８    扉側ハーネス
１８ａ  接続端子
１９    配線溝
１９ａ  カバー部材
１９ｂ  配線開口部
２０    変温室
２５    下仕切体
３０    冷凍室
３１    第二扉
３２    第二冷却器
５１    右ヒンジ部
５２    左ヒンジ部
５２ａ  ヒンジカバー
５２ｂ  ヒンジピンカバー
５３    ヒンジ部材
５３ａ  ヒンジピン
６０ａ  左側ハーネス
６０ｂ  右側ハーネス
７０    断熱箱体
７１    内箱
７２    外箱
７３    発泡断熱材
７３ａ  断熱材
８０    制御基板
１００  冷蔵庫
【図１】
2011231936.tif 000003
【図２】
2011231936.tif 000004
【図３】
2011231936.tif 000005
【図４】
2011231936.tif 000006
【図５】
2011231936.tif 000007
【図６】
2011231936.tif 000008
【図７】
2011231936.tif 000009
【図８】
2011231936.tif 000010